(57)【要約】【課題】音声信号や電源等の電気信号の伝送線路と近接して配置された状態で使用されるアンテナエレメントを有するアンテナにおける、アンテナ特性を向上させる。【解決手段】所定の長さを有し電気力線を検出するアンテナエレメントと、電気信号を伝送する伝送線路と、アンテナエレメントで受信する周波数帯の電波を吸収して減衰させる特性を有し、少なくともアンテナエレメントと伝送線路との間に配置される電波吸収減衰部とを備える構成とした。【選択図】図１
2014010481.tif 000002
【特許請求の範囲】
【請求項１】
所定の長さを有するアンテナエレメントと、
電気信号を伝送する伝送線路と、
前記アンテナエレメントで受信する周波数帯の電波を吸収して減衰させる特性を有し、少なくとも前記アンテナエレメントと前記伝送線路との間に配置される電波吸収減衰部とを備える
アンテナ。
【請求項２】
前記電波吸収減衰部は、磁性材料を含有する絶縁体で形成される
請求項１に記載のアンテナ。
【請求項３】
前記絶縁体に含有される前記磁性材料には、複素透磁率の磁気損失項の虚部μ′′の値が、前記アンテナエレメントが受信する周波数帯において大きい材料が用いられる
請求項２に記載のアンテナ。
【請求項４】
前記アンテナエレメントと、前記伝送線路と、前記電波吸収減衰部とを被覆する被覆部を備え、
当該アンテナは、前記アンテナエレメントと、前記伝送線路と、前記電波吸収減衰部と、前記被覆部とが一体とされたケーブルとして構成される
請求項３に記載のアンテナ。
【請求項５】
前記伝送線路は、その略全長を前記電波吸収減衰部で被覆されており、前記アンテナエレメントは、前記電波吸収減衰部の外側に配置される
請求項４に記載のアンテナ。
【請求項６】
前記アンテナエレメントは、前記電波吸収減衰部の外周部分に、前記電波吸収減衰部の略全長を被覆する形状で設けられる
請求項５に記載のアンテナ。
【請求項７】
前記アンテナエレメントは、前記電波吸収減衰部の外周部分に、編組線又は巻き線として形成される
請求項６に記載のアンテナ。
【請求項８】
前記アンテナエレメントは、線状の形状であり、前記電波吸収減衰部の外周部分に螺旋状に巻回されて構成される
請求項６に記載のアンテナ。
【請求項９】
当該アンテナは、前記電波吸収減衰部でその略全長が被覆された前記伝送線路と、その外周部分がその略全長に渡って前記電波吸収減衰部で被覆された前記アンテナエレメントとが、前記被覆部の内部で並行に配置されてなる
請求項５に記載のアンテナ。
【請求項１０】
前記電波吸収減衰部を形成する前記絶縁体に含有される前記磁性材料は、フェライトである
請求項３に記載のアンテナ。
【発明の詳細な説明】
【技術分野】
【０００１】
本開示は、音声信号や電源等の電気信号の伝送線路と近接して配置された状態で使用されるアンテナエレメントを有するアンテナに関し、特に、このようなアンテナにおけるアンテナ特性を向上させる技術に関する。
【背景技術】
【０００２】
近年、デジタルテレビジョン放送やデジタルラジオ放送等の電波を受信するアンテナエレメントが、音声信号や電源等の電気信号の伝送線路と非常に近接した位置に配置されることが増えてきている。例えば特許文献１には、同軸線の芯線を音声信号の伝送路として使用し、同軸線のシールド線（外部導体）をアンテナエレメントとして機能させたアンテナケーブルが記載されている。
【先行技術文献】
【特許文献】
【０００３】
【特許文献１】特開２０１１−１７２１２５号公報
【発明の概要】
【発明が解決しようとする課題】
【０００４】
ところで、特許文献１に記載されたアンテナケーブルのように、複数の伝送線路が互いに隣接して配置される場合には、各々の電磁場が互いに作用し合って容量結合を起こすことがある。このような容量結合が発生した場合には、それぞれの伝送線路を伝わる電気信号が隣接する他の伝送線路へ伝わり、本来伝わるべき信号が減衰してしまう。例えば、アンテナエレメントを伝送されるＲＦ信号に、他の伝送線路を伝送されている音声信号が近傍に有る場合、ＲＦ信号が減衰し、アンテナの受信特性が劣化してしまう。特許文献１に記載の技術では、各伝送線路間で発生する容量結合を阻止することが難しいため、このようなアンテナの受信特性の劣化が発生しうるという問題があった。【０００５】
本開示はかかる点に鑑みてなされたものであり、音声信号や電源等の電気信号の伝送線路と近接して配置された状態で使用されるアンテナエレメントを有するアンテナにおける、アンテナ特性を向上させることを目的とする。
【課題を解決するための手段】
【０００６】
本開示のアンテナは、所定の長さを有し電気力線を検出するアンテナエレメントと、電気信号を伝送する伝送線路と、アンテナエレメントで受信する周波数帯の電波を吸収して減衰させる特性を有し、少なくともアンテナエレメントと伝送線路との間に配置される電波吸収減衰部とを備える。【０００７】
以上のようにアンテナを構成することで、アンテナエレメントで受信する周波数帯の電波が電波吸収減衰部で吸収及び減衰されるため、アンテナエレメントと伝送線路間での容量結合の発生を抑制することが可能となる。
【発明の効果】
【０００８】
本開示のアンテナによれば、アンテナエレメントと伝送線路間で容量結合が発生しにくくなるため、アンテナの受信特性を良好に保つことができる。
【図面の簡単な説明】
【０００９】
【図１】本開示の一実施形態によるアンテナの概略構成例を示す概要図であり、Ａは直径方向に切断した場合の断面図であり、Ｂは線路長方向に切断した場合の断面図である。
【図２】本開示の一実施形態による受信システムの構成例を示す概要図である。
【図３】本開示の一実施形態による、イヤホンケーブルと、アンテナケーブルと、携帯端末内の接続端子の構成例を示す回路図である。
【図４】アンテナケーブルのケーブル部のジャックとの接続部分に抵抗を挿入した場合の、アンテナケーブルの構成例を示す回路図である。
【図５】アンテナケーブルのケーブル部のジャックとの接続部分に抵抗を挿入した場合の周波数−ゲイン特性を示す図であり、Ａ〜Ｃは人体に装着されていない状態で測定された周波数−ゲイン特性を示し、Ｄ〜Ｆは人体に装着された状態で測定された周波数−ゲイン特性を示す。
【図６】従来のアンテナケーブルによる周波数−ゲイン特性を示す図であり、Ａ〜Ｃは人体に装着されていない状態で測定された周波数−ゲイン特性を示し、Ｄ〜Ｆは人体に装着された状態で測定された周波数−ゲイン特性を示す。
【図７】本開示の一実施形態によるアンテナケーブルによる周波数−ゲイン特性を示す図であり、Ａ〜Ｃは人体に装着されていない状態で測定された周波数−ゲイン特性を示し、Ｄ〜Ｆは人体に装着された状態で測定された周波数−ゲイン特性を示す。
【図８】本開示の一実施形態による、ＧＮＤライン１０１Ｇに挿入されたＦＢ１２５を取り除いた構成による周波数−ゲイン特性を示す図である。
【図９】本開示の一実施形態による、長さが１１００ｍｍのイヤホンケーブル２００が挿入された状態かつ、人体に装着されていない状態で測定された周波数−ゲイン特性を示す図であり、Ａ〜Ｃは従来のアンテナケーブルによる周波数−ゲイン特性を示し、Ｄ〜Ｆは本構成のアンテナケーブルによる周波数−ゲイン特性を示す。
【図１０】本開示の一実施形態による、長さが１１００ｍｍのイヤホンケーブル２００が挿入された状態かつ、人体に装着された状態で測定された周波数−ゲイン特性を示す図であり、Ａ〜Ｃは従来のアンテナケーブルによる周波数−ゲイン特性を示し、Ｄ〜Ｆは本構成のアンテナケーブルによる周波数−ゲイン特性を示す。
【図１１】本開示の変形例１によるアンテナケーブルの概略構成例を示す概要図であり、Ａは直径方向に切断した場合の断面図であり、Ｂは線路長方向に切断した場合の断面図である。
【図１２】本開示の変形例２によるアンテナケーブルの概略構成例を示す概要図であり、Ａは直径方向に切断した場合の断面図であり、Ｂは線路長方向に切断した場合の断面図である。
【図１３】本開示の変形例３によるアンテナケーブルの概略構成例を示す概要図であり、Ａは斜視図であり、Ｂは直径方向に切断した場合の断面図である。
【図１４】本開示の変形例４によるアンテナケーブルの概略構成例を示す概要図である。
【発明を実施するための形態】
【００１０】
本開示の一実施形態に係るアンテナの一例を、図面を参照しながら下記の順で説明する。ただし、本開示は下記の例に限定されない。
１．本開示の一実施形態例に係るアンテナの構成例
２．本開示の一実施形態に係るアンテナが適用される受信システムの構成例
３．各種変形例
【００１１】
＜１．アンテナの構成例＞
まず、図１を参照して、本開示のアンテナが適用されるアンテナ１０の構成例を説明する。図１は、本開示のアンテナを同軸線で構成した場合の、アンテナ１０の内部構成例を示す断面図である。図１Ａは、同軸線として構成したアンテナ１０をその線路長方向に対して垂直な方向に切った場合の断面図であり、図１Ｂは、アンテナ１０をその線路長方向に切断し、図１Ａ中に示した断面指示線Ａとして示した方向から見た場合の断面図である。
【００１２】
図１Ａ及び図１Ｂに示すように、アンテナ１０の中心部には、Ｌ（左）チャンネルの音声信号を伝送するＬｃｈライン１１Ｌと、Ｒ（右）チャンネルの音声信号を伝送するＲｃｈライン１１Ｒと、ＧＮＤ（グランド）ライン１１Ｇとが設けられている。これらは、同軸線の芯線（内部導体）として構成されている。これらの伝送ライン（伝送線路）１１の外周部には、樹脂１２よりなる層が設けられている。
【００１３】
樹脂１２は、磁性材料の粉体が混合された合成樹脂（絶縁体）として構成される。本実施の形態では、粉体として合成樹脂に配合させる磁性材料として、電波を吸収して減衰させる電波吸収特性及び高周波的に高インピーダンスとなる特性を有するフェライトを用いるものとする。樹脂１２よりなる層の厚さは、同軸線として構成されるアンテナ１０の直径方向の断面について、全周で一定となるように構成する。
【００１４】
樹脂１２の外周部には、外部導体としてのシールド線１３を設けてあり、このシールド線１３がアンテナエレメントとして機能する。そして、アンテナエレメントとしてのシールド線１３の外周を保護被覆１４で被覆してある。
【００１５】
アンテナエレメントとしてのシールド線１３と各伝送ライン１１との間に、フェライトを含有した電波吸収減衰部としての樹脂１２を設けたことで、それぞれのラインを伝送される信号が伝送線路の外側の空間に漏れることを防ぐことができる。これにより、各伝送ライン１１とアンテナエレメントとのアイソレーションが確保されるため、アンテナ１０の受信特性も良好に保たれる。
【００１６】
このような効果を得るためには、樹脂１２に配合させる磁性材料の材質や断面積、磁路長を、アンテナエレメントで受信したい周波数帯で十分に大きなインピーダンスが得られるような値に設定する必要がある。磁性材料の材質としては、複素透磁率の磁気損失項である虚部（μ′′）が、アンテナエレメントで受信したい周波数帯において高い材質を選ぶようにする。
【００１７】
複素透磁率μは、以下の式１で表すことができる。
μ＝μ′−ｊμ′′…式１
上記式１において、μ′が実部でインダクタンス成分を示し、μ′′が虚部で抵抗成分を示す。抵抗成分を示す虚部のμ′′は、以下の式２で算出することができる。
2014010481.tif 000003
上記式２において、“ＡＥ”は磁性材料の実効断面積（磁束が通る面積：単位ｍ２）を示し、“ｌＥ”は実効磁路長（磁束が流れる距離：単位ｍ）を示す。また、“μ０”は真空の透磁率を示し、“Ｎ”は測定用コイルの巻数を示し、“ｆ”は周波数（Ｈｚ）を示し、“ＲＭＳＤ”は測定抵抗（Ω）を示す。
【００１８】
上記式２に示されるように、磁性材料の実効断面積ＡＥや実効磁路長ｌＥを変化させることにより、複素透磁率μの磁気損失項である虚部μ′′の値を変化させることができる。言い換えると、これらのパラメータを調整することで、どのような周波数帯の電波を受信する場合にも、アンテナエレメントとその他の信号の伝送線路との間におけるアイソレーションを確保することが可能となる。
【００１９】
＜２．一実施形態例に係る受信システムの構成例＞
次に、本開示の第１の実施形態例に係るアンテナが適用される受信システム１の構成例について、図２を参照して説明する。受信システム１は、本開示のアンテナ１０が適用されるアンテナケーブル１００と、アンテナケーブル１００に接続されるイヤホンケーブル２００と、アンテナケーブル１００が接続される携帯端末３００とよりなる。
【００２０】
アンテナケーブル１００は、μＵＳＢ（Universal
Serial Bus）端子に挿入され、音声を聞くための音声伝達のケーブルの機能と、ＲＦ信号を受信するアンテナの機能とを併せ持つケーブルとして構成される。図２には、接続の対象がイヤホンケーブル２００である場合を図示してあり、このようにイヤホンケーブル２００が接続されて使用してすることも可能である。アンテナケーブル１００のみの場合は、アンテナ機能としてのみ機能するが、この場合、音声伝達機能とアンテナ機能を併せ持って機能する。
【００２１】
アンテナケーブル１００は、ケーブル部１０１と、ケーブル部１０１の一端に設けられたプラグ１０２と、他端に設けられたジャック１０３とよりなる。ケーブル部１０１は、図１に示した構成と同様に同軸構造としてあり、各種電気信号の伝送線路としての芯線と、アンテナエレメントとして機能するシールド線とを含む（いずれも図２では図示略）。芯線は、例えば軟銅線等で形成され、シールド線は、例えば軟銅線を編組した編組線として形成される。なお、編組線ではなく巻き線として構成したものに適用してもよい。
【００２２】
芯線とシールド線との間には、図１に示したように、電波吸収減衰部としての樹脂よりなる層を設けている。アンテナケーブル１００の内部構成の詳細については後述する。シールド線の外周部は、塩化ビニル樹脂やエラストマー等の樹脂よりなる保護被覆で被覆してある。
【００２３】
プラグ１０２は、携帯端末３００内に設けられた接続端子３１０に挿入され、ジャック１０３には、イヤホンケーブル２００のプラグ２０３が差し込まれる。本実施の形態では、プラグ１０２をμＵＳＢプラグとして構成してあり、携帯端末３００内の接続端子３１０は、μＵＳＢ接続端子として構成している。
【００２４】
アンテナケーブル１００がアンテナとして機能する場合は、そのプラグ１０２が挿入された先の携帯端末３００がグランド（ＧＮＤ）として機能し、アンテナケーブル１００のシールド線の部分がモノポールアンテナ（電界型アンテナ）として機能する。ジャック１０３にイヤホンケーブル２００が差し込まれた場合には、イヤホンケーブル２００の部分も含めた全長もアンテナエレメントとして電波を受信する。
【００２５】
本実施の形態では、アンテナケーブル１００の部分の長さで、携帯端末向けマルチメディア放送で使用されているＶＨＦ−ｈｉｇｈ帯（２００ＭＨｚ前後）の周波数を受信できるように、アンテナケーブル１００のシールド線の部分の長さをλ／４の３００ｍｍに調節している。アンテナケーブル１００に５００ｍｍのイヤホンケーブル２００が接続された場合には、両方を足した合計の長さでＦＭ帯の周波数を受信することができる。
【００２６】
イヤホンケーブル２００は、ケーブル部２０１と、ケーブル部２０１が分岐された先にそれぞれ接続されるＲｃｈ用イヤホン２０２Ｒと、Ｌｃｈ用イヤホン２０２Ｌを有する。また、ケーブル部２０１の他端には、例えばφ３．５ｍｍの３極プラグとして構成したプラグ２０３が接続されている。イヤホンケーブル２００のプラグ２０３は、アンテナケーブル１００のジャック１０３に差し込まれる。また、図２イヤホンケーブル２００は、音声信号のみを伝送するイヤホンであるが、マイクロフォンの機能も有しているものでも問題ない。その場合は、ケーブル部２０１のプラグ２０３は、φ３．５ｍｍの４極プラグとして構成される。
【００２７】
携帯端末３００は上述したように接続端子３１０を備え、この接続端子３１０には、アンテナケーブル１００のプラグ１０２が挿入される。また、携帯端末３００は、デジタルテレビジョン放送やデジタルラジオ放送、ＦＭ放送を受信するチューナ部（図示略）を備え、チューナ部では、アンテナケーブル１００及び／又はイヤホンケーブル２００で受信したこれらの放送波を復調及び復号する処理が行われる。また携帯端末３００は、不図示の音声処理回路を備える。音声処理回路では、チューナ部で復調された音声データや、不図示の記憶部に記憶された音声符号化データの復号処理が行われ、復号された音声データは、Ｌｃｈ用イヤホン２０２Ｌ及びＲｃｈ用イヤホン２０２Ｒに供給され、音声として出力される。携帯端末３００はさらに、液晶パネル又は有機ＥＬ（Electro Luminescence）パネル等よりなる表示部３２０を備える。表示部３２０には、チューナ部で復号された映像データ等が表示される。
【００２８】
次に、図３を参照して、図１に示した本開示のアンテナケーブル１０が適用されたアンテナケーブル１００と、イヤホンケーブル２００と、携帯端末３００の接続端子３１０の内部構成例について説明する。図３Ａにはイヤホンケーブル２００の内部構成例を示し、図３Ｂにはアンテナケーブル１００及び携帯端末３００の接続端子３１０の内部構成例を示す。
【００２９】
まず図３Ａを参照して、イヤホンケーブル２００の内部構成例について説明する。イヤホンケーブル２００は、上述したように、アンテナケーブル１００のジャック１０３に差し込まれるプラグ２０３を有する。プラグ２０３は、携帯端末３００の接続端子３１０に挿入される先端部２１０と、Ｌｃｈ用イヤホン２０２Ｌ及び／又はＲｃｈ用イヤホン２０２Ｒが接続される円筒状の後端部２２０とで構成される。
【００３０】
先端部２１０には、携帯端末３００の接続端子３１０に挿入される先端側から順に、Ｌｃｈ端子２１０Ｌと、Ｒｃｈ端子２１０Ｒと、ＧＮＤ端子２１０Ｇとが設けられており、それぞれは互い絶縁してある。後端部２２０には、先端側から順にＧＮＤ端子２２０Ｇと、Ｒｃｈ端子２２０Ｒと、Ｌｃｈ端子２２０Ｌとが設けられており、これらも互いに絶縁させてある。先端部２１０のＬｃｈ端子２１０Ｌと後端部２２０のＬｃｈ端子２２０Ｌとは、後端部２２０の内部で電気的に接続されており、先端部２１０のＲｃｈ端子２１０Ｒと後端部２２０のＲｃｈ端子２２０Ｒとは、後端部２２０の内部で電気的に接続されている。先端部２１０のＧＮＤ端子２１０Ｇと後端部２２０のＧＮＤ端子２２０Ｇも、後端部２２０の内部で電気的に接続されている。
【００３１】
続いて、図３Ｂを参照して、アンテナケーブル１００と、携帯端末３００の接続端子３１０の内部構成例について説明する。説明を分かりやすくするため、まず携帯端末３００の接続端子３１０の構成から説明し、次にアンテナケーブル１００の構成例を説明する。携帯端末３００の接続端子３１０には、１ピン３１１と、２ピン３１２と、３ピン３１３と、４ピン３１４と、５ピン３１５と、シールド３１６とが設けられている。
【００３２】
接続端子３１０の１ピン３１１は、ＵＳＢケーブルとして使用される場合には電源供給用のＶｂｕｓ端子として機能する。但し、アンテナケーブル１００に、イヤホンケーブル２００にマイクが付属するものが挿入された場合においては、今回は、不図示であるが、マイクロフォンで収音された信号が、アンテナケーブル１００を介して伝送された音声信号が入力されるＭＩＣ端子として機能する。１ピン３１１と、アンテナケーブル１００の接続部との間に配線されるラインには、高周波遮断用のフェライトビーズ３１７が直列に接続されている。なお、フェライトビーズでなくても高周波的に遮断できるものであれば、インダクタでも問題なく使用できる。その他の場合も同様である。以下、フェライトビーズを単に「ＦＢ」と略記する。
【００３３】
接続端子３１０の２ピン３１２と３ピン３１３は、ＵＳＢケーブルとして使用される場合にはパソコン等と通信を行うために送受信される差動信号の信号ラインの端子である。また、この端子に音声信号が入力される場合には、２ピン（Ｄ−端子）３１２がＬチャンネルの端子となり、３ピン（Ｄ＋端子）３１３がＲチャンネルの端子となる。この差動で用いられる２ピン３１２と３ピン３１３が接続されるラインには、コモンモードチョーク３１８が接続されている。このコモンモードチョーク３１８がこの位置に配置されていることによって、ＵＳＢ使用時には、コモンモードノイズの除去を行い、イヤホンケーブル２００とアンテナケーブル１００が挿入されて、音声信号の伝達を行う場合には、携帯端末３００側には音声信号が通過するようになる。但し、この時に、コモンモードチョーク３１８は、高周波的には、高いインピーダンスとなって、高周波遮断素子として機能する。
【００３４】
接続端子３１０の４ピン３１４は、差し込まれたプラグの種類と、そのプラグが何に使われるのかという用途を識別するためのＩＤ端子（ＩＤはIdentificationの略で、「識別端子」の意味）である。通常のＵＳＢケーブルとして使用される場合は、通常オープンとなっている。本実施の形態では、このＩＤ端子として使われる４ピン３１４を、テレビジョン放送等を受信するためのアンテナ端子に用いている。その詳細については後述するが、アンテナエレメントとして機能させるシールド線１１１を、この４ピン３１４に接続するケーブル部１０１内のラインと接続させている。
【００３５】
これにより、アンテナ端子として用いられる４ピン３１４を介して、シールド線１１１で受信したＲＦ信号が取り出すことができるようになる。４ピン３１４が接続されるラインには、約１０００ｐＦのコンデンサ３１９を直列接続してあり、このコンデンサ３１９を介して４ピン３１４に供給されたＲＦ信号が、携帯端末３００内の不図示のチューナ部に供給される。
【００３６】
また、接続端子３１０の４ピン３１４には、コンデンサ３１９と並列に、高周波信号遮断素子としてのＦＢ３２０が接続されている。このＦＢ３２０によって、イヤホンケーブル２００及びアンテナケーブル１００を介して伝送されたＲＦ信号が遮断されることにより、ケーブル部１０１を介して伝送されたＩＤ信号のみが、携帯端末３００内の不図示のＩＤ識別回路に出力される。
【００３７】
接続端子３１０の５ピン３１５は、接地用のグランド端子である。この５ピン３１５が接続されるラインは、アンテナケーブル１００のオーディオプラグ１０２のシールド部と、携帯端末３００に設けられた各シールド３１６と接続され、接地されている。
【００３８】
続いて、引き続き図３Ｂを参照して、図１に示した本開示のアンテナ１０が適用されるアンテナケーブル１００の構成例について説明する。アンテナケーブル１００は、上述したように、同軸構造とされたケーブル部１０１の一端にプラグ１０２が設けられ、他端にジャック１０３が設けられてなる。ケーブル部１０１の、プラグ１０２が設けられる側の端部には不図示の基板を設けてあり、プラグ１０２はこの基板に接続されている。
【００３９】
アンテナケーブル１００のジャック１０３には、ＭＩＣ端子１０３Ｍと、Ｌｃｈ端子１０３Ｌと、Ｒｃｈ端子１０３Ｒと、ＩＤ端子１０３Ｉと、ＧＮＤ端子１０３Ｇとが設けられている。ケーブル部１０１は、ＭＩＣ端子１０３Ｍから入力された音声信号を伝送するＭＩＣライン１０１Ｍを有する。また、ケーブル部１０１は、Ｌｃｈ端子１０３Ｌから入力されたＬｃｈの音声信号を伝送するＬｃｈライン１０１Ｌと、Ｒｃｈ端子１０３Ｒから入力されたＲｃｈの音声信号を伝送するＲｃｈライン１０１Ｒとを有する。また、ケーブル部１０１は、ＩＤ端子１０３Ｉに接続されるＩＤライン１０１Ｉと、ＧＮＤ端子１０３Ｇに接続されるＧＮＤライン１０１Ｇとを有する。
【００４０】
ＭＩＣライン１０１Ｍは、不図示の基板上に設けられた高周波信号遮断素子としてのＦＢ１２１に接続されており、このＦＢ１２１を介して、携帯端末３００の接続端子３１０内の１ピン３１１（Ｖｂｕｓ／ＭＩＣ端子）に接続される。Ｌｃｈライン１０１Ｌは、不図示の基板上に設けられたＦＢ１２２に接続されており、このＦＢ１２２を介して、携帯端末３００の接続端子３１０内の２ピン３１２（Ｄ−／Ｌｃｈ端子）に接続される。Ｒｃｈライン１０１Ｒは、不図示の基板上に設けられたＦＢ１２３に接続されており、このＦＢ１２３を介して、携帯端末３００の接続端子３１０内の３ピン３１３に接続される（Ｄ＋／Ｒｃｈ端子）。
【００４１】
ＩＤライン１０１Ｉは、不図示の基板上に設けられた抵抗１２４に接続されており、この抵抗１２４を介して、携帯端末３００の接続端子３１０内の４ピン３１４（ＩＤ／アンテナ端子）に接続される。この抵抗１２４の抵抗値は、ジャック１０３にイヤホンケーブル２００が接続された場合に変化する。この抵抗値の変化を検出することにより、携帯端末３００側で、アンテナケーブル１００をＵＳＢケーブルとして使用するモードではなく、音声信号の伝送線路として使用するモードに切り換える処理を行う処理を行っている。
【００４２】
ＧＮＤライン１０１Ｇは、不図示の基板上に設けられたＦＢ１２５に接続されており、このＦＢ１２５を介して、携帯端末３００の接続端子３１０内の５ピン３１５（ＧＮＤ端子）に接続される。
【００４３】
なお、ＧＮＤライン１０１Ｇに接続されるＦＢ１２５は、その直流インピーダンスが高いと音声信号に良くない影響を与えてしまう。例えば、イヤホンケーブル２００をマイクロフォンとして使用する場合には、この部分の直流インピーダンスが高いとエコーが発生したりする。このため、ＧＮＤライン１０１Ｇに接続されるＦＢ１２５の直流インピーダンスは０．２５Ω以下とすることが望ましく、例えば０．１Ω程度に設定するものとする。
【００４４】
アンテナケーブル１００のケーブル部１０１内を通る、これらの、ＭＩＣライン１０１Ｍと、Ｌｃｈライン１０１Ｌと、Ｒｃｈライン１０１Ｒと、ＩＤライン１０１Ｉと、ＧＮＤライン１０１Ｇとは、同軸線の芯線として構成される。これらの各ライン（伝送線路）の外周部には、樹脂１１２による層を電波吸収減衰部として設けてあり、この層の外側にシールド線１１１を這わせてある。
【００４５】
シールド線１１１はアンテナエレメントとして機能するものであり、テレビジョン放送やラジオ放送の放送波を受信する。本実施の形態では、シールド線１１１とＩＤライン１０１Ｉとを接続させており、シールド線１１１で受信されたＲＦ信号はＩＤライン１０１Ｉを介して伝送され、携帯端末３００の接続端子３１０内の４ピン３１４で取り出される。
【００４６】
本実施の形態では、上述したように、電波吸収減衰部としての樹脂１１２に含有させる磁性材料として、複素透磁率の磁気損失項である虚部（μ′′）が、アンテナエレメントで受信したい周波数帯において高い材質を選択している。これにより、アンテナエレメントを伝送される電波が樹脂１１２で吸収及び減衰されるため、アンテナエレメントとしてのシールド線１１１と、芯線として構成された各伝送ラインとが容量結合してしまうことがなくなる。これにより、各伝送ライン１１とアンテナエレメントとのアイソレーションが確保されるため、アンテナ１０の受信特性も良好に保たれる。
【００４７】
本実施の形態では、樹脂１１２として、樹脂材料に対して粒径１〜１９０μｍのフェライト粉体を重量比６５〜９０％に混合したものを使用し、樹脂１１２の厚さは約０．４ｍｍとした。なお、この配合は２００ＭＨｚの周波数を遮断する場合に適切なものであり、本開示はこの値に限定されるものではない。樹脂材料に対するフェライト粉体の配合比は、遮断したい周波数に合わせて変える必要がある。また、フェライトは高周波的に高インピーダンスとなる特性を有しているため、ＦＭ帯等の低い周波数における電波の吸収及び減衰量（ロス）は少ない。
【００４８】
次に、本実施の形態によるアンテナの受信特性について説明するが、その前にまず、理想とすべき受信特性について考えることとする。以下では、アンテナケーブル１００単体の長さで受信させたい２００ＭＨｚ周辺の周波数帯において、アンテナゲインが良い状態を、理想の受信特性が得られている状態と設定する。
【００４９】
アンテナケーブル１００の長さは、２００ＭＨｚ近辺の周波数帯を受信できる長さに調整してあるが、実際には、アンテナケーブル１００にイヤホンケーブル２００が挿入されることでそのアンテナ特性は変化する。例えば、アンテナケーブル１００にイヤホンケーブル１００が挿入されると、そのシールド線１１１と、内部を通過する音声信号の伝送線路との結合の影響で、アンテナゲインが劣化する。また、アンテナケーブル１００に挿入されたイヤホンケーブル２００の影響を受け、イヤホンケーブル２００及びアンテナケーブル１００がアンテナエレメントとしてＲＦ信号を受信するため、全体としてのアンテナ長が長くなり、受信する周波数帯も低い帯域の方向に移動する。
【００５０】
さらに、イヤホンケーブル２００のＲｃｈ用イヤホン２０２Ｒと、Ｌｃｈ用イヤホン２０２Ｌとがユーザの耳に装着された場合には、イヤホンケーブル２００が人体に非常に近接した位置に配置されることになる。これにより、アンテナエレメントとしてのイヤホンケーブル２００及びアンテナケーブル１００と導体かつ誘電体である人体の影響によってインピーダンス不整合が起き、アンテナゲインが劣化してしまう。このアンテナゲインの劣化は、特に垂直偏波において顕著となる。
【００５１】
本開示の発明者等は、アンテナケーブル１００のジャック１０３とケーブル部１０１との接続部分に抵抗を入れることで、これらの影響を排除できると考えた。そして実験の結果、抵抗の抵抗値を４．７ｋΩとすることでこれらの影響を完全に排除でき、理想とする受信特性を得られることが分かった。図４は、理想のアンテナ受信特性を得るためのアンテナケーブル１００Ａの構成例を示す図であり、図３と対応する箇所には同一の符号を付してある。図４に示すように、ＭＩＣライン１０１Ｍと、Ｌｃｈライン１０１Ｌと、Ｒｃｈライン１０１Ｒと、ＩＤライン１０１Ｉにおける、ジャック１０３との接続部分に、それぞれ抵抗１３１，抵抗１３２，抵抗１３３，抵抗１３４を設けている。
【００５２】
図５は、図４に示したアンテナケーブル１００Ａによるアンテナ受信特性を示すグラフである。図５Ａは、イヤホンケーブル２００がジャック１０３に挿入された状態で、かつ、人体に装着されていない状態（自由空間）で測定された値をグラフで示したものであり、図５Ｂは垂直偏波における測定値を示し、図５Ｃは水平偏波における測定値を示す。図５Ｄは、イヤホンケーブル２００がジャック１０３に挿入された状態で、かつ、人体に装着された状態で測定された値をグラフで示したものであり、図５Ｅは垂直偏波における測定値を示し、図５Ｆは水平偏波における測定値を示す。
【００５３】
図５Ａ〜図５Ｃに示すように、イヤホンケーブル２００が人体に装着されていない自由空間においては、２００ＭＨｚ付近でのピークゲインが、垂直偏波と水平偏波の両方において約−１０ｄＢｄ〜−１３ｄＢｄ程度の高い値となっている。一方で、イヤホンケーブル２００が挿入されたことにより受信されるＦＭ帯のピークゲインは、垂直偏波でも水平偏波でも非常に低い値となっている。すなわち、イヤホンケーブル２００が挿入されたことによる影響が排除され、所望とする２００ＭＨｚ付近の周波数のみが受信できていることが分かる。
【００５４】
図５Ｄ〜図５Ｆに示すように、イヤホンケーブル２００が人体に装着された状態では、２００ＭＨｚ付近の周波数において特に垂直偏波のピークゲインが、図５Ａ〜図５Ｃに示した自由空間における測定値よりも落ちてしまう。しかし、垂直偏波も水平偏波もそのピークゲインは−１０ｄＢｄ前後であり、良好な受信特性が得られていると判断できる。
【００５５】
図６に、抵抗１３１〜抵抗１３４を設けていない、従来のアンテナケーブルでの受信特性を示すグラフを示す。図６Ａは、イヤホンケーブル２００がジャック１０３に挿入された状態で、かつ、人体に装着されていない状態（自由空間）で測定された値をグラフで示したものであり、図６Ｂは垂直偏波における測定値を示し、図６Ｃは水平偏波における測定値を示す。図６Ｄは、イヤホンケーブル２００がジャック１０３に挿入された状態で、かつ、人体に装着された状態で測定された値をグラフで示したものであり、図６Ｅは垂直偏波における測定値を示し、図６Ｆは水平偏波における測定値を示す。
【００５６】
図６Ａ〜図６Ｃに示すように、イヤホンケーブル２００が人体に装着されていない自由空間においては、イヤホンケーブル２００が挿入されたことにより受信されるＦＭ帯において、垂直偏波と水平偏波の両方において−１０ｄＢｄ前後の高いピークゲインが得られていることが分かる。この反面、受信したい所望の周波数帯である２００ＭＨｚ近辺では、垂直偏波と水平偏波のいずれにおいても同軸線のシールド線１１１のアンテナエレメントがうまく機能して、理想状態と比べて多少の劣化で留まっている。
【００５７】
図６Ｄ〜図６Ｆに示すように、イヤホンケーブル２００が人体に装着された状態では、２００ＭＨｚ付近の周波数において特に垂直偏波のピークゲインが、図６Ａ〜図６Ｃに示した自由空間における測定値よりも落ちてしまう。また、ＦＭ帯におけるピークゲインも、垂直偏波と水平偏波の両方において−２０ｄＢｄ前後の低い値となってしまっている。
【００５８】
このように、図４に示したようにアンテナケーブル１００Ａのジャック１０３とケーブル部１０１との接続部分に抵抗を入れることで、アンテナケーブル１００にイヤホンケーブル２００が挿入されることにより生じる影響を排除できることが分かる。しかし、この位置に４．７ｋΩの抵抗１３１〜抵抗１３４を入れてしまうと、抵抗１３１〜抵抗１３４が接続された先のラインを音声信号等の電気信号が通らなくなってしまう。つまり、アンテナケーブル１００Ａのジャック１０３とケーブル部１０１との接続部分に４．７ｋΩもの高い値の抵抗値を入れることは、現実的な解決策であるとは言えない。
【００５９】
図７は、本実施の形態例によるアンテナケーブル１００によるアンテナ受信特性を示すグラフである。図７Ａは、イヤホンケーブル２００がジャック１０３に挿入された状態で、かつ、人体に装着されていない状態（自由空間）で測定された値をグラフで示したものであり、図７Ｂは垂直偏波における測定値を示し、図７Ｃは水平偏波における測定値を示す。図７Ｄは、イヤホンケーブル２００がジャック１０３に挿入された状態で、かつ、人体に装着された状態で測定された値をグラフで示したものであり、図７Ｅは垂直偏波における測定値を示し、図７Ｆは水平偏波における測定値を示す。図７Ｄにおいては、理想的な受信特性として示した図５Ｄの周波数−ゲイン特性を、同じ線種かつ細い線で重畳して記載している。
【００６０】
図７Ａ〜図７Ｃに示すように、イヤホンケーブル２００が人体に装着されていない自由空間においては、図６Ａ〜図６Ｃに示した従来のアンテナケーブル１００における特性と比較して、ＦＭ帯でのピークゲインが垂直偏波と水平偏波の両方で少し落ちているが、問題なく使用できるレベルである。フェライトの樹脂として、ＦＭ帯においてロスの少ないものを選択したためである。また、２００ＭＨｚ帯の劣化も従来と同じレベルである。
【００６１】
図７Ｄ〜図７Ｆに示すように、イヤホンケーブル２００が人体に装着された状態では、特に２００ＭＨｚ付近の帯域において、−１０ｄＢｄ程度の良好なアンテナゲインが得られていることが分かる。また、２００ＭＨｚ付近の帯域における周波数−ゲイン特性が、細線で示した理想的な周波数−ゲイン特性（図５Ｄ参照）とほぼ同一の形状として示されていることが分かる。
【００６２】
つまり、本実施形態例によるアンテナケーブル１００によれば、ケーブル部１０１の芯線として構成した各種電気信号の伝送線路と、アンテナエレメントとして機能させるシールド線１１１との間に、磁性材料を含有した樹脂１１２の層を設けることで、ケーブル部１０１のジャック１０３の接続部に大きな抵抗値の抵抗を入れたケースと同様のアンテナ受信特性を得ることができる。つまり、樹脂層１１２の磁性材料を適切に選択することで、ＦＭ帯では劣化が少なく、所望とする２００ＭＨｚ帯の周波数におけるアンテナ特性の大幅な改善を実現出来ている。
【００６３】
また、本実施の形態例によるアンテナケーブル１００によれば、アンテナエレメントとして機能させたい部分以外の他の線材等による、アンテナエレメントに対する影響を小さくすることができる。これにより、アンテナエレメントと他の伝送線路との間のアイソレーションを確保できるため、従来の構成と比較してアンテナの受信特性を大幅に向上させることができる。
【００６４】
また、本実施の形態例によるアンテナケーブル１００によれば、電波吸収減衰部としての樹脂１１２に含有させる磁性材料の種類や、樹脂１１２の直径の長さ、長手方向の長さ等を変えることによって、周波数の吸収・減衰率を容易に調整することができる。
【００６５】
また、本実施の形態例によるアンテナケーブル１００では、図７Ｄ等に示したように、特に水平偏波受信時のアンテナ受信特性が改善される傾向が顕著である。これにより、イヤホンケーブル２００等に接続されて使用されることで、人体の影響を受けて垂直偏頗の受信特性が悪化するケースにおいても、高いアンテナゲインが得られる水平偏波側で所望の周波数の電波を受信できるようになる。
【００６６】
また、本実施の形態例によるアンテナケーブル１００によれば、電気信号の伝送線路と、アンテナエレメントとして機能させるシールド線１１１との間に、電波吸収減衰部としての樹脂１１２が設けられる。このため、樹脂１１２の体積の比率を、電気信号の伝送線路の体積に対して非常に大きくするような構成をとることも可能となる。このように構成した場合には、樹脂１１２による層の内径部の、電気信号の伝送線路と接する部分がハイインピーダンスとなり、外径部のシールド線１１１と接する部分はローインピーダンスとなる。つまり、電気信号の伝送線路とのアイソレーションは確保しつつ、アンテナの受信特性をより向上させることも可能となる。
【００６７】
＜３．各種変形例＞
なお、芯線とシールド線１１１との間に磁性材料を含有した樹脂１１２の層を設けることで、各種電気信号の伝送線路とアンテナエレメントとの間のアイソレーションが取れるようになるため、高周波信号遮断用の素子の数を減らすことも可能となる。
【００６８】
図８Ａ〜図８Ｃは、図３に示した本実施の形態によるアンテナケーブル１００の構成から、ＧＮＤライン１０１Ｇに挿入されたＦＢ１２５を取り除いた構成による、周波数−ゲイン特性を示したものである。図８Ａ〜図８Ｃに示した周波数−ゲイン特性は、アンテナケーブル１００に取り付けられたイヤホンケーブル２００が人体に装着された状態で計測したものである。図８Ａは周波数−ゲイン特性をグラフで示したものであり、図８は垂直偏波における測定値を示し、図８Ｃは水平偏波における測定値を示す。
【００６９】
受信したいターゲットの周波数帯である２００ＭＨｚ付近のピークゲインは、垂直偏波で−７ｄＢｄ程度、水平偏波で−１０ｄＢｄ程度であり、共に図７Ｄに示した、ＦＢ１２５挿入時の特性とほぼ同等であることが分かる。すなわち、高周波信号遮断用のＦＢ１２５を用いなくても、ＲＦ信号を遮断してその影響を削除できていることが分かる。
【００７０】
前述したように、ＧＮＤライン１０１Ｇに挿入されるＦＢ１２５には直流インピーダンスが低いことが求められており、この条件を満たしつつ高周波的にはハイインピーダンスとなる素子を選択しようとすると、素子のサイズが大型化してしまうという問題があった。このようなＦＢ１２５を用いることなく高周波信号を遮断できることで、回路規模の縮小及びコストの低減を図ることができる。
【００７１】
なお、本開示のアンテナケーブル１００を用いることによって、ケーブル部１０１内の他の伝送線路に挿入されたＦＢ１２１〜ＦＢ１２３を削除しても、本実施の形態で得られる効果と同等の効果が得られる。
【００７２】
また、上述した実施の形態では、アンテナケーブル１００の長さを３００ｍｍとした場合を例にあげたが、これに限定されるものではない。アンテナケーブル１００の長さは、受信したい周波数の波長に合わせた様々な長さを適用可能である。さらに、アンテナケーブル１００に挿入されるイヤホンケーブル２００が５００ｍｍである場合を例にあげたが、イヤホンケーブル２００の長さもこの値に限定されない。
【００７３】
図９は、長さが１１００ｍｍのイヤホンケーブル２００を挿入した状態で、かつイヤホンケーブル２００を人体に装着していない自由空間で測定されたアンテナの周波数−ゲイン特性を示すグラフである。図９Ａ〜図９Ｃは、従来のアンテナケーブルによる特性を示し、図９Ｄ〜図９Ｆは、本実施の形態によるアンテナケーブル１００による特性を示す。図９Ａ及び図９Ｄは周波数−ゲイン特性をグラフで示したものであり、図９Ｂ及び図９Ｅは垂直偏波における測定値を示し、図９Ｃ及び図９Ｆは水平偏波における測定値を示す。
【００７４】
図９Ａ〜図９Ｃに示す従来のアンテナケーブルによる特性によれば、図９Ａ中に破線の円で囲った２００ＭＨｚ以降の周波数帯においては、垂直偏波では−１３．５ｄＢｄ程度〜−２．５ｄＢｄ程度のピークゲインが得られている。水平偏波では、−２０ｄＢｄ程度〜−７．５ｄＢｄ程度のピークゲインが得られている。これに対して、図９Ｄ〜図９Ｆに示す本実施の形態によるアンテナケーブル１００の特性によれば、垂直偏波では−１２ｄＢｄ程度〜−２．５ｄＢｄ程度のピークゲインが得られている。水平偏波では、−１５ｄＢｄ程度〜−６ｄＢｄ程度のピークゲインが得られている。すなわち、従来のアンテナケーブルと比較して、アンテナの受信特性が向上していることが分かる。
【００７５】
図１０は、長さが１１００ｍｍのイヤホンケーブル２００を挿入した状態で、かつイヤホンケーブル２００を人体に装着した状態で測定されたアンテナの周波数−ゲイン特性を示すグラフである。図１０Ａ〜図１０Ｃは、従来のアンテナケーブルによる特性を示し、図１０Ｄ〜図１０Ｆは、本実施の形態によるアンテナケーブル１００による特性を示す。図１０Ａ及び図１０Ｄは周波数−ゲイン特性をグラフで示したものであり、図１０Ｂ及び図１０Ｅは垂直偏波における測定値を示し、図１０Ｃ及び図１０Ｆは水平偏波における測定値を示す。
【００７６】
図１０Ａ〜図１０Ｃに示す従来のアンテナケーブルによる特性によれば、図１０Ａ中に破線の円で囲った２００ＭＨｚ以降の周波数帯においては、垂直偏波では−１３ｄＢｄ程度〜−９ｄＢｄ程度のピークゲインが得られている。水平偏波では、−１５．５ｄＢｄ程度〜−６ｄＢｄ程度のピークゲインが得られている。これに対して、図１０Ｄ〜図１０Ｆに示す本実施の形態によるアンテナケーブル１００の特性によれば、垂直偏波では−１２ｄＢｄ程度〜−７．５ｄＢｄ程度のピークゲインが得られている。水平偏波では、−１４ｄＢｄ程度〜−５ｄＢｄ程度のピークゲインが得られている。すなわち、従来のアンテナケーブルと比較して、特に水平偏波におけるアンテナの受信特性が大きく向上していることが分かる。
【００７７】
また、上述した実施の形態では、電気信号の伝送線路が５本（ＭＩＣ，Ｌｃｈ，Ｒｃｈ，ＩＤ，ＧＮＤ）である場合を例にあげたが、図１に原理図として示した構成のように３本として構成してもよく、もしくは他の本数で構成してもよい。
【００７８】
また、上述した実施の形態では、芯線として構成した各種伝送線路を、直接電波吸収減衰部としての樹脂１１２で被覆した例をあげたが、これに限定されるものではない。各種伝送線路の配置位置の固定を容易にするため、各伝送線路をポリエチレン等の樹脂で覆ってまず固定し、その外周部に樹脂１１２を設けてもよい。
【００７９】
［変形例１］
図１１は、このように構成した場合のアンテナケーブル１００Ｂのケーブル部１０１Ｂの概略構成を示す断面図である。図１１Ａは、ケーブル部１０１Ｂをその線路長方向に対して垂直な方向に切った場合の断面図であり、図１１Ｂは、ケーブル部１０１Ｂをその線路長方向に切断し、図１１Ａ中に示した断面指示線Ａとして示した方向から見た場合の断面図である。
【００８０】
図１１Ａ及び図１１Ｂに示すように、ケーブル部１０１Ｂの中心部のＬｃｈライン１０１Ｌと、Ｒｃｈライン１０１Ｒと、ＩＤライン１０１Ｉと、ＭＩＣライン１０１Ｍと、ＧＮＤライン１０１Ｇの配線箇所を、ポリエチレン等の樹脂１１３で被覆する。そして、その外周部分を、電波吸収減衰部としての磁性材料を含む樹脂１１２で被覆している。その外側の構成は上述した実施の形態による構成と同様であり、アンテナエレメントとしてのシールド線１１１を這わせてあり、その外周部分を保護被覆１１４で被覆してある。
【００８１】
また、上述した実施の形態では、電気信号の伝送線路とアンテナエレメントとしてのシールド線１１１とを、同軸構造とした一本のケーブル中の異なる層に設け、これらの間に磁性材料を含む樹脂１１２の層を設けた例を説明したが、これに限定されるものではない。例えば、電気信号の伝送線路が樹脂で被覆されてなるラインと、アンテナ線が樹脂で被覆されるラインとを並行に配置し、これらをケーブルとして一体に構成したもの等にも適用可能である。
【００８２】
［変形例２］
図１２は、図１１に示したケーブル部１０１Ｂの構成における樹脂１１２とシールド線１１１との間に、片面アルミ箔テープ１１５を設けたケーブル部１０１Ｂαの構成を示す図である。図１２Ａは、ケーブル部１０１Ｂαをその線路長方向に対して垂直な方向に切った場合の断面図であり、図１２Ｂは、ケーブル部１０１Ｂαをその線路長方向に切断し、図１２Ａ中に示した断面指示線Ａとして示した方向から見た場合の断面図である。図１２において、図１１と対応する箇所には同一の符号を付してあり、重複する説明は省略する。
【００８３】
図１２Ａ及び図１２Ｂに示した片面アルミ箔テープ１１５は、一方の面がアルミ箔で構成され、他方の面が電気絶縁粘着テープで構成される。図１２Ａ及び図１２Ｂに示した構成では、樹脂１１２側にアルミ箔が配置され、シールド線１１１側に電気絶縁粘着テープが配置される。このように構成される片面アルミ箔テープ１１５を、樹脂１１２とシールド線１１１との間に設けることで、ケーブル部１０１Ｂの中心に設けられた各伝送線路から発生するノイズが、片面アルミ箔テープ１１５のアルミ箔によってより確実に遮断されるようになる。すなわち、各伝送線路から発生するノイズが、アンテナエレメントとしてのシールド線１１１側に、より漏れにくくなる。
【００８４】
また、図１２Ａ及び図１２Ｂに示した構成によれば、電気絶縁粘着テープを有する片面アルミ箔テープ１１５によって、シールド線１１１と樹脂１１２とが密着する。つまり、シールド線１１１及びアルミ箔よりなる導体と、磁性材料を含有する樹脂１１２よりなる磁性体との境界面に、不連続な空隙が発生しなくなる。それゆえ、導体としてのシールド線１１１及びアルミ箔と、磁性体としての樹脂１１２との境界の部分において、各伝送経路から発生したノイズが外部に飛び出しにくくなる。よって、図１２Ａ及び図１２Ｂに示した構成によれば、樹脂１１２の電波吸収減衰部としての機能をより高めることができる。
【００８５】
なお、図１２Ａ及び図１２Ｂに示した例では、シールド線１１１と樹脂１１２との間を片面アルミ箔テープ１１５で接着する例を挙げたが、これに限定されるものではない。片面アルミ箔テープ１１５の代わりに、電気絶縁粘着テープを有さないアルミ箔を設けてもよい。なお、このアルミ箔の部分は導体であればよいため、銅や金等の他の部材を用いてもよい。
【００８６】
［変形例３］
図１３は、このように構成した場合のアンテナケーブル１００Ｃのケーブル部１０１Ｃの概略構成を示す概要図である。図１３Ａは斜視図であり、図１３Ｂはケーブルをその線路長方向に対して垂直な方向に切った場合の断面図である。図１３Ａ及び図１３Ｂに示すアンテナケーブル１００Ｃは、信号伝送線路１５１と、アンテナ線１５２とが互いに並行に配置され、それらが不図示の保護被覆で被覆されてなる。信号伝送線路１５１は、Ｌｃｈライン１０１ＬＣと、Ｒｃｈライン１０１ＲＣと、ＧＮＤライン１０１Ｇとが樹脂１１２Ａで被覆されてなり、アンテナ線１５２は、軟銅線等よりなる複数の金属線１１１Ａが、樹脂１１２Ｂで被覆されてなる。樹脂１１２Ａ及び樹脂１１２Ｂは、互いに上述したような磁性材料を含有するものであり、電波吸収減衰部として機能する。
【００８７】
このように、音声信号その他の電気信号を伝送する信号伝送線路１５１と、アンテナエレメントとしてのアンテナ線１５２とを、樹脂１１２Ａ又は樹脂１１２Ｂでそれぞれ個別に被覆し、それらをケーブルとして一体に構成してもよい。このときの信号伝送線路１５１とアンテナ線１５２は、図１３Ａ及び図１３Ｂに示したようにそれぞれを１本で構成してもよく、２本以上で構成してもよい。また、図１１に示したように、線材をいったんポリエチレン等の樹脂で覆ってからその外周に磁性材料を含む樹脂１１２Ａ又は１１２Ｂを設けてもよい。また、樹脂１１２Ａと１１２Ｂのいずれかは磁性材料を含み、他方は含まないポリエチレン等の樹脂、という構成としてもよい。
【００８８】
また、上述した実施の形態では、アンテナエレメントを編組構造のシールド線１１１として構成した例と、信号伝送線路１５１と並行して配置される金属線１０１Ａとして構成した例をあげたが、これらの構成に限定されるものではない。例えば、軟銅線等の金属線で構成した金属線を、信号伝送線路を被覆した円筒状の樹脂の外周にらせん状に巻回させてアンテナエレメントとしてもよい。
【００８９】
［変形例４］
図１４は、このようにしてアンテナエレメントを構成したアンテナケーブル１００Ｄの概略構成例を示す概要図である。電気信号を伝送する伝送線路は、上述した実施の形態と同様に同軸構造のケーブルの芯線として構成してあり、例えば、Ｌｃｈライン１０１Ｌ，Ｒｃｈライン１０１Ｒ，ＩＤライン１０１Ｉ，ＭＩＣライン１０１Ｍ，ＧＮＤライン１０１Ｇとよりなる。これらの信号伝送線路の外周部を、磁性材料を含有する電波吸収減衰部としての樹脂１１２で被覆してあり、その外周部に、軟銅線等の金属線１０１Ａａをらせん状に巻回させてある。
【００９０】
このように構成することで、アンテナケーブル１００のケーブル長より長い金属線１０１Ａａを、アンテナケーブル１００内に収容することが可能となる。これにより、アンテナケーブル１００のケーブル長を長くすることなく、アンテナケーブル１００のケーブル長で受信できる周波数帯よりも低い周波数帯を、アンテナケーブル１００に巻回させた金属線１０１Ａａによって受信できるようになる。したがって、装置の小型化を図ることが可能となる。よって、例えば、イヤホン部分に音声再生機能やチューナ部を内蔵させた、イヤホン一体型音声再生装置等の、ケーブル部の長さに対する制約が大きい製品にも適用が可能となる。
【００９１】
なお、本開示は以下のような構成も取ることができる。
（１）所定の長さを有するアンテナエレメントと、
電気信号を伝送する伝送線路と、
前記アンテナエレメントで受信する周波数帯の電波を吸収して減衰させる特性を有し、少なくとも前記アンテナエレメントと前記伝送線路との間に配置される電波吸収減衰部とを備えるアンテナ。
（２）前記電波吸収減衰部は、磁性材料を含有する絶縁体で形成される（１）に記載のアンテナ。
（３）前記絶縁体に含有される前記磁性材料には、複素透磁率の磁気損失項の虚部μ′′の値が、前記アンテナエレメントが受信する周波数帯において大きい材料が用いられる（１）または（２）に記載のアンテナ。
（４）前記アンテナエレメントと、前記伝送線路と、前記電波吸収減衰部とを被覆する被覆部を備え、
当該アンテナは、前記アンテナエレメントと、前記伝送線路と、前記電波吸収減衰部と、前記被覆部とが一体とされたケーブルとして構成される（１）〜（３）のいずれかに記載のアンテナ。
（５）前記伝送線路は、その略全長を前記電波吸収減衰部で被覆されており、前記アンテナエレメントは、前記電波吸収減衰部の外側に配置される（１）〜（４）のいずれかに記載のアンテナ。
（６）前記アンテナエレメントは、前記電波吸収減衰部の外周部分に、前記電波吸収減衰部の略全長を被覆する形状で設けられる（４）または（５）に記載のアンテナ。
（７）前記アンテナエレメントは、前記電波吸収減衰部の外周部分に、編組線又は巻き線として形成される（４）〜（６）のいずれかに記載のアンテナ。
（８）前記アンテナエレメントは、線状の形状であり、前記電波吸収減衰部の外周部分に螺旋状に巻回されて構成される（４）〜（７）のいずれかに記載のアンテナ。
（９）当該アンテナは、前記電波吸収減衰部でその略全長が被覆された前記伝送線路と、その外周部分がその略全長に渡って前記電波吸収減衰部で被覆された前記アンテナエレメントとが、前記被覆部の内部で並行に配置されてなる（１）〜（５）のいずれかに記載のアンテナ。
（１０）前記絶縁体に含有される前記磁性材料は、フェライトである（１）〜（９）のいずれかに記載のアンテナ。
【符号の説明】
【００９２】
１…受信システム、１０…アンテナ、１１…伝送ライン、１１Ｇ…ＧＮＤライン、１１Ｌ…Ｌｃｈライン、１１Ｒ…Ｒｃｈライン、１２…樹脂、１３…シールド線、１４…保護被覆、１００，１００Ａ，１００Ｂ，１００Ｃ，１００Ｄ…アンテナケーブル、１０１…ケーブル部、１０１Ａ，１０１Ａａ，１０１Ａｂ…金属線、１０１Ｂ，１０１Ｃ…ケーブル部、１０１Ｇ…ＧＮＤライン、１０１Ｉ…ＩＤライン、１０１Ｌ…Ｌｃｈライン、１０１ＬＣ…Ｌｃｈライン、１０１Ｍ…ＭＩＣライン、１０１Ｒ…Ｒｃｈライン、１０１ＲＣ…Ｒｃｈライン、１０２…プラグ、１０３…ジャック、１０３Ｇ…ＧＮＤ端子、１０３Ｉ…ＩＤ端子、１０３Ｌ…Ｌｃｈ端子、１０３Ｍ…ＭＩＣ端子、１０３Ｒ…Ｒｃｈ端子、１１１…シールド線、１１２，１１２Ａ，１１２Ｂ，１１３…樹脂、１１４…保護被覆、１１５…片面アルミ箔テープ、１２４，１３１〜１３４…抵抗、１５１…信号伝送線路、１５２…アンテナ線、２００…イヤホンケーブル、２０１…ケーブル部、２０２Ｌ…Ｌｃｈ用イヤホン、２０２Ｒ…Ｒｃｈ用イヤホン、２０３…プラグ、２１０…先端部、２１０Ｇ…ＧＮＤ端子、２１０Ｌ…Ｌｃｈ端子、２１０Ｒ…Ｒｃｈ端子、２２０…後端部、２２０Ｇ…ＧＮＤ端子、２２０Ｌ…Ｌｃｈ端子、２２０Ｒ…Ｒｃｈ端子、３００…携帯端末、３１０…接続端子、３１１…１ピン、３１２…２ピン、３１３…３ピン、３１４…４ピン、３１５…５ピン、３１６…シールド、３１７…フェライトビーズ、３１８…コモンモードチョーク、３１９…コンデンサ、３２０…表示部
【図１】
2014010481.tif 000004
【図２】
2014010481.tif 000005
【図３】
2014010481.tif 000006
【図４】
2014010481.tif 000007
【図５】
2014010481.tif 000008
【図６】
2014010481.tif 000009
【図７】
2014010481.tif 000010
【図８】
2014010481.tif 000011
【図９】
2014010481.tif 000012
【図１０】
2014010481.tif 000013
【図１１】
2014010481.tif 000014
【図１２】
2014010481.tif 000015
【図１３】
2014010481.tif 000016
【図１４】
2014010481.tif 000017
【国際調査報告】
2014010481.tif 000018
2014010481.tif 000019
2014010481.tif 000020
2014010481.tif 000021